(57)【要約】【課題】ブログ間の関連の把握を容易とするトラックバックセンタ装置及びトラックバック管理方法を提供する。【解決手段】ブログ管理装置３０，４０で管理されている記事の識別子及び記事のトピックが関連付けられたレコードを有するトラックバックデータ１３２を記憶する記憶装置１３と、トピックを指定したトピック画面の送信を要求するリクエストを端末５０，６０から受信すると、レコードにおいて指定されたトピックと関連付けられる記事の識別子を含むトピック画面を端末に送信する画面データ送信手段１１１とを備える。【選択図】図１
2008107998.tif 000002
【特許請求の範囲】
【請求項１】
ブログ管理装置で管理されている記事の識別子及び前記記事のトピックが関連付けられたレコードを有するトラックバックデータを記憶する記憶装置と、
トピックを指定したトピック画面の送信を要求するリクエストを端末から受信すると、前記レコードにおいて指定された前記トピックと関連付けられる前記記事の識別子を含むトピック画面を前記端末に送信する画面データ送信手段と、
を有することを特徴とするトラックバックセンタ装置。
【請求項２】
前記トラックバックデータが有するレコードは、前記記事の識別子および前記トピックとともに、前記記事の作成に参照された親記事の識別子及び前記記事と前記親記事との関係を関連付け、
前記画面データ送信手段は、前記レコードにおいて指定された前記トピックと関連付けられる前記記事の識別子、前記親記事の識別子及び前記関係を含むトピック画面を前記端末に送信する
ことを特徴とする請求項１記載のトラックバックセンタ装置。
【請求項３】
前記トピック画面は、新たな記事をトピック画面にリンクさせるために使用されるトラックバックURLを生成する操作を実行するボタンを有し、
前記端末からの前記ボタンを介したリクエストに応じて、前記トラックバックURLを生成し、前記端末に送信するURL生成手段と、
前記新たな記事の識別子とともに前記トラックバックURLを受信すると、前記トラックバックURLで特定されるトピックと、前記新たな記事の識別子とを関連付けた新たなレコードで前記トラックバックデータを更新するデータ更新手段と、
を有することを特徴とする請求項１記載のトラックバックセンタ装置。
【請求項４】
前記トピック画面は、新たな記事をトピック画面及び前記トピック画面に関連付けられる親記事にリンクさせるために使用されるトラックバックURLを生成する操作を実行するボタンを有し、
前記端末からの前記ボタンを介したリクエストに応じて、前記親記事と前記新たな記事の関係を含む前記トラックバックURLを生成し、前記端末に送信するURL生成手段と、
前記新たな記事の識別子とともに前記トラックバックURLを受信すると、前記トラックバックURLで特定されるトピック、親記事の識別子及び関係と、前記新たな記事の識別子とを関連付けた新たなレコードで前記トラックバックデータを更新するデータ更新手段と、
前記親記事が管理されるブログ管理装置に、前記新たな記事の識別子を送信する更新データ送信手段と、
を有することを特徴とする請求項２記載のトラックバックセンタ装置。
【請求項５】
前記端末から新たな記事の記載に使用される投稿画面データの送信を要求するリクエストを受信すると、前記端末に投稿画面データを送信する画面データ送信手段を更に有することを特徴とする請求項１又は２記載のトラックバックセンタ装置。
【請求項６】
前記リクエストを受信すると、前記端末が登録されているか否かのユーザ認証を実行するユーザ認証手段を有することを特徴とする請求項１乃至５いずれか一記載のトラックバックセンタ装置。
【請求項７】
ブログ管理装置で管理されている記事の識別子及び前記記事のトピックを受信すると、前記記事の識別子及び前記トピックを関連付けたレコードを記憶装置に記憶されるトラックバックデータに追加するステップと、
トピックを指定したトピック画面の送信を要求するリクエストを端末から受信すると、前記レコードにおいて指定された前記トピックと関連付けられる前記記事の識別子を含むトピック画面を前記端末に送信するステップと、
を有することを特徴とするトラックバック管理方法。
【請求項８】
前記記事の識別子および前記トピックとともに、前記記事の作成に参照された親記事の識別子及び前記記事と前記親記事との関係を受信すると、前記記事の識別子及び前記トピックとともに、前記親記事の識別子及び前記関係を関連付けたレコードをトラックバックデータに追加するステップと、
前記レコードにおいて指定された前記トピックと関連付けられる前記記事の識別子、前記親記事の識別子及び前記関係を含むトピック画面を前記端末に送信するステップと、
を有することを特徴とする請求項７記載のトラックバック管理方法。
【発明の詳細な説明】
【技術分野】
【０００１】
本発明は、ブログシステムにおいて、トピック画面にトラックバックされる記事に関するデータを管理するトラックバックセンタ装置及びトラックバック管理方法に関する。
【背景技術】
【０００２】
近年、ユーザの意見をインターネット上で公開する手段として、Ｗｅｂｌｏｇ（ウェブログ）（以下、「ブログ」という）が利用されている。ブログシステムを利用するユーザは、パーソナルコンピュータ等の情報処理端末を利用して容易な操作で記載した意見を公開することができる。また、ユーザに記載された様々な意見は、ブログ管理装置によって記事として管理されている。他のユーザは、ブログ管理装置にアクセスして蓄積される記事を読むことができる。
【０００３】
ブログの特徴的な機能として、「トラックバック」がある。トラックバック機能を使用すると、ユーザが他のユーザの記載した元記事を参照して新たな記事を記載する際、新たな記事と元記事とをリンクさせることができる。
【０００４】
トラックバック機能を使用するユーザは、他のユーザが記載した元記事に記載されている内容に関連して新たな記事を記載したとき、新たな記事に元記事に付与されているトラックバックURLを関連付ける（元記事に新たな記事のトラックバックを打つ）。このように新たな記事に元記事のトラックバックURLを関連付けてトラックバック管理装置に送信することにより、トラックバック管理装置では元記事に新たな記事をリンクさせる。したがって、他のユーザ又は第三者は、元記事を参照した際に、元記事にリンクされる新たな記事の存在を知ることになる。
【０００５】
また、他人の元記事ばかりでなく、トラックバックセンタ装置によって管理されるトピックリスト（トピック画面）にトラックバックを打つこともできる技術もある。トピックリストにトラックバックを打つユーザは、あるトピック（話題）に関する記事を記載したとき、そのトピックに関する記事のリストであるトピックリストに、新たな記事をリンクさせる。トピックに関する情報を検索する第三者は、このようなトピックリストからリンクされる記事にアクセスすることで、所定のトピックに関するデータを収集することができる。
【０００６】
従来、トラックバックの手続はトラックバックURLのメモや入力等の操作が複雑であることから、トラックバックURL抽出装置を設けることで、トラックバックの手続を容易にした技術がある（例えば、特許文献１参照）。この特許文献１に記載される技術によれば、複雑であったトラックバックの手続を容易にしていた。
【特許文献１】特開２００５−２５０８２６号公報
【発明の開示】
【発明が解決しようとする課題】
【０００７】
しかしながら、従来のトラックバック機能では、元記事と新たな記事との関係が不明という点が問題であった。例えば、元記事に関する「賛成意見」の新たな記事、「反対意見」の新たな記事、「提案意見」の新たな記事等の様々な視点から記載された新たな記事が、全て同列に扱われている。例えば、第三者が元記事に対する「提案意見」の新たな記事のみを参照したい場合でも、リンクされる全ての新たな記事にアクセスし、「提案意見」を選択する必要がある。そのため、元記事またはトピックリストからリンクされる新たな記事を参照する第三者は、必要な記事を選択して参照することが困難であった。
【０００８】
したがって、本発明では、元記事と新たな記事との関係を明らかにして必要な記事の参照を容易にできるトラックバックセンタ装置及びトラックバック管理方法を提供することを目的とする。
【課題を解決するための手段】
【０００９】
本発明の特徴に係るトラックバックセンタ装置は、ブログ管理装置で管理されている記事の識別子及び記事のトピックが関連付けられたレコードを有するトラックバックデータを記憶する記憶装置と、トピックを指定したトピック画面の送信を要求するリクエストを端末から受信すると、レコードにおいて指定されたトピックと関連付けられる記事の識別子を含むトピック画面を端末に送信する画面データ送信手段とを有している。
【発明の効果】
【００１０】
本発明によれば、トラックバックセンタで管理するトピック画面（トピックリスト）において、元記事と新たな記事との関係を明らかにして必要な記事の参照を容易にすることができる。
【発明を実施するための最良の形態】
【００１１】
［第１の実施形態］
〈ブログシステム〉
図１に示すように、第１の実施形態においてブログシステム１ａは、トラックバックセンタ装置１０ａ、第１ブログ管理装置３０、第２ブログ管理装置４０、第１端末５０、第２端末６０がネットワーク７０を介して接続されており、相互にデータの送受信が可能になっている。
【００１２】
ブログシステム１ａは、ブログの利用を可能とするシステムであり、ユーザによって端末５０，６０を利用して更新される記事がブログ管理装置３０，４０に蓄積される。また、ブログシステム１ａでは、端末５０，６０からのリクエストに応じて、ブログ管理装置３０，４０に蓄積されている記事が端末５０，６０に表示装置に表示される。ユーザは、このように表示された記事を参照して、情報を収集したり、新たな記事を記載したりする。
【００１３】
以下の説明において、第１ブログ管理装置３０は、ユーザAが会員として登録されており、第１端末５０は、ユーザA利用する端末である。ユーザAは、第１端末５０を利用して記載した記事を第１ブログ管理装置３０に蓄積させることができる。また、第２ブログ管理装置４０は、ユーザBが会員として登録されており、第２端末６０は、ユーザBの端末である。ユーザBは、第２端末６０を利用して記載した記事を第２ブログ管理装置４０に蓄積させることができる。
【００１４】
各ユーザは、自己の端末５０，６０に接続されるブログ管理装置３０，４０に蓄積されている記事を読み出し、参照することができる。例えば、図１に示す例ではユーザAは第１端末５０を介して、第１ブログ管理装置３０に蓄積されている記事の他に、第２ブログ管理装置４０に蓄積される記事を参照することができる。また、ユーザBは、第２端末６０を介して、第２ブログ管理装置４０に蓄積されている記事の他に、第１ブログ管理装置３０に蓄積される記事を参照することができる。
【００１５】
ブログシステムでは、「トラックバック」を特徴としているが、トラックバックセンタ装置１０ａは、登録されたブログ（記事）の識別子が記憶されているとともに、各記事がトピックリスト（トピック画面）にトラックバック（リンク）されている。トピック画面は、所定の話題（トピック）の記事の識別子に関するリストである。
【００１６】
《端末》
第１端末５０は、図１に示すように、CPU（Central processing unit）５１、ネットワークを介して外部とのデータの送受信を制御する通信制御装置５２、磁気ディスク等の記憶装置５３、メモリ５４、入力装置５５及び表示装置５６を備える一般的なパーソナルコンピュータである。
【００１７】
ユーザAは、キーボードやマウス等の入力装置５５を介して、ブログとして登録される記事や、種々の操作を入力する。記事が入力されると、第１端末５０は、通信制御装置５２を介して入力された記事を第１ブログ管理装置３０に送信する。また、ユーザAは、入力装置５５を介してブログ管理装置３０，４０にアクセスし蓄積されている記事を表示装置５６に表示させることができる。
【００１８】
第２端末６０も第１端末５０と同様に、CPU６１、通信制御装置６２、記憶装置６３、メモリ６４、入力装置６５及び表示装置６６を備える一般的コンピュータである。各機能構成における役割については上述した第１端末５０と同一であるため、説明を省略する。
【００１９】
《ブログ管理装置》
第１ブログ管理装置３０は、図１に示すようにCPU３１、通信制御装置３２、記憶装置３３及びメモリ３４を備える。記憶装置３３に記憶されるブログ管理プログラム３３１がCPU３１に読み込まれて起動することによって、CPU３１に画面データ送信手段３１１、データ更新手段３１２及び関係データ送信手段３１３を備える第１ブログ管理装置３０が構成される。
【００２０】
記憶装置３３には、ブログ管理プログラム３３１とともに、ユーザデータ３３２及び投稿画面データ３３３が記憶されている。ユーザデータ３３２は、登録されているユーザから受信した記事が蓄積されたデータである。具体的には、ユーザデータ３３２は、登録されているユーザの「識別子」（ユーザ名やユーザID等）に、ユーザが記事を登録した「登録日」、ユーザが記載した記事の「タイトル」、「記事」、記事にアクセスするための「記事URL」、記事に他の新たな記事をリンクさせるために使用する「トラックバックURL」を含んでいる。投稿画面データ３３３は、ユーザが記事を記載する際に使用する投稿画面をユーザの端末５０，６０の表示装置５６，６６に表示させるデータである。
【００２１】
画面データ送信手段３１１は、通信制御装置３２を介して第１端末５０から投稿画面データの送信を要求するリクエストを受信すると、記憶装置３３から投稿画面データを読み出し、通信制御装置３２を介して第１端末５０に送信する。また、画面データ送信手段３１１は、通信制御装置３２を介して端末５０，６０からブログ画面データの送信を要求するリクエストを受信すると、記憶装置３３のユーザデータ３３２データから該当するユーザのデータを読み出し、ユーザのデータからブログ画面データを生成して通信制御装置３２を介して端末５０，６０に送信する。
【００２２】
データ更新手段３１２は、通信制御装置３２を介して第１端末５０から投稿データを受信すると、受信した投稿データで記憶装置３３に記憶されるユーザデータ３３２を更新する。例えば、投稿データとして受信したユーザの「識別子」、「登録日」、記事の「タイトル」、「記事」を含むレコードを追加してユーザデータ３３２を更新する。このとき、データ更新手段３１２は、受信した記事に対して、記事にアクセスするための「記事URL」及び記事に他の新たな記事をリンクさせるために使用する「トラックバックURL」を付与するとともに、記事に対する「説明文」を生成してレコードに追加し、ユーザデータ３３２を更新する。ここで「説明文」とは、記事を所定の文字数で表すものであり、例えば、記事の先頭から20文字を抽出したものや、所定文字数の要約等である。また、トラックバックセンタ装置１０ａからリンクされた新たな記事の識別子を受信すると、新たな記事の識別子をレコードに追加してユーザデータ３３２を更新する。
【００２３】
更新データ送信手段３１３は、ユーザデータ３３２が更新されると、更新されたデータを更新データとして通信制御装置３２を介してトラックバックセンタ装置１０ａに送信する。具体的には、新たに受信した投稿データによってユーザデータ３３２が更新されると、更新データ送信手段３１３は、ユーザの識別子、登録日、記事のタイトル、記事の説明文、記事URLを更新データとして送信する。
【００２４】
また、図示を省略するが、このブログ管理装置３０は、入力装置や表示装置を備えていてもよい。
【００２５】
第２ブログ管理装置４０も第１ブログ管理装置３０と同様に、CPU４１、通信制御装置４２、記憶装置４３及びメモリ４４を備える一般的なパーソナルコンピュータである。記憶装置４３に記憶されるブログ管理プログラム４３１がCPU４１に読み込まれて起動することによって、CPU４１に画面データ送信手段４１１、データ更新手段４１２及び関係データ送信手段４１３を備える第２ブログ管理装置４０が構成される。図１に示す例では、記憶装置４３に記憶されるユーザデータ４３２は、会員であるユーザBによって記載された記事を蓄積している。その他の各機能構成における役割については上述した第１ブログ管理装置３０と同一であるため、説明を省略する。
【００２６】
《トラックバックセンタ装置》
トラックバックセンタ装置１０ａは、図１に示すようにCPU１１、通信制御装置１２、記憶装置１３及びメモリ１４を備える。記憶装置１３に記憶されるセンタプログラム１３１がCPU１１に読み込まれて起動することによって、CPU１１に画面データ送信手段１１１、データ更新手段１１２、画面データ生成手段１１３、トラックバックURL生成手段１１４及び更新データ送信手段１１５を備えるトラックバックセンタ装置１０ａが構成される。記憶装置１３は、センタプログラム１３１とともに、トラックバックデータ１３２、トピック画面データ１３３及びURL生成画面データ１３４を記憶している。
【００２７】
トラックバックデータ１３２は、トピック画面にリンク（トラックバック）されている記事と、各記事の関係が蓄積されたデータである。具体的には、トラックバックデータ１３２は、図２に示す一例にあるように、トピック画面にリンクされている記事に付与された「記事ID」をキーとして、記事が登録された「登録日」、記事の「タイトル」、記事の「説明文」、記事にアクセスする際の「記事URL」、記事を作成したユーザの「ユーザ名」、記事の話題（トピック）に付された番号である「トピック番号」、記事が引用する親記事に付与された「親記事ID」、親記事との「関係」、親記事にリンクさせる際に利用する「トラックバックURL（親記事URL）」が関連付けられている。
【００２８】
図２に示すトラックバックデータ１３２の一例では、記事IDが「001024」で識別される記事は、「2006年9月20日」に登録され、そのタイトルは「トマト料理」であり、記事にアクセスするためのURLは「http:www.ccenter/cook」であり、記載したユーザは「ユーザC」であり、リンクされたトピックの番号は「２３」であることがわかる。また、この記事には親記事が存在しないため、親記事ID、関係、親記事URLは「NULL」となっている。
【００２９】
トピック画面データ１３３は、各トピックに関する記事のリストであるトピック画面を表示させるデータである。このトピック画面データ１３３は、トラックバックデータ１３２に基づいて画面データ生成手段１１３によって生成される。
【００３０】
URL生成画面データ１３４は、トラックバックURLの生成を操作する際に必要なデータを入力するURL生成画面を表示させるデータであって、予め記憶装置に記憶されている。ここでいうトラックバックURLは、トピック画面又はトピック画面とトピック画面にリンクされている記事に新たな記事をリンクさせる際に使用されるURLである。
【００３１】
画面データ送信手段１１１は、通信制御装置１２を介して端末５０，６０から画面データの送信を要求するリクエストを受信すると、記憶装置１３から該当する画面データを読み出し、通信制御装置１２を介して端末５０，６０に送信する。例えば、画面データ送信手段１１１は、トピック画面データの送信が要求されると、該当するトピック画面データを送信し、また、URL生成画面データの送信が要求されると、URL生成画面データを送信する。
【００３２】
トラックバックURL生成手段１１４は、通信制御装置１２を介して端末５０，６０からトラックバックURLの送信を要求するリクエストを受信すると、トラックバックURLを生成し、通信制御装置１２を介して端末５０，６０に送信する。ここで生成されるトラックバックURLは、トピック画面、または、トピック画面及びトピック画面にリンクされている記事（親記事）に新たな記事を関連付けるためのURLである。トラックバックURLは、トピック番号、親記事ID、親記事のトラックバックURL、及び新たな記事と親記事との関係を含んでいる。
【００３３】
データ更新手段１１２は、通信制御装置１２を介してブログ管理装置３０，４０から更新データを受信すると、受信した更新データで記憶装置１３に記憶されるトラックバックデータ１３２を更新する。例えば、データ更新手段１１２は、新たな記事の識別子及び新たな記事のトピック番号を受信すると、新たな記事の識別子及びトピック番号を関連付けたレコードを追加してトラックバックデータを更新する。また、データ更新手段１１２は、新たな記事の識別子とともに、記事の作成に参照された親記事の識別子及び記事と親記事との関係を受信すると、新たな記事の識別子に更に親記事の識別子及び関係を付けたレコードを追加してトラックバックデータ１３２を更新する。データ更新手段１１２は、新たな記事に関するデータとともに受信するトラックバックURLによってトピック番号、親記事及び関係を特定し、新たなレコードを追加してトラックバックデータ１３２を更新する。
【００３４】
画面データ生成手段１１３は、トラックバックデータ１３２が更新されると、該当するトピックの新たなトピック画面データを生成し、記憶装置１３に記憶されるトピック画面データ１３３を新たなトピック画面データで更新する。
【００３５】
更新データ送信手段１１５は、トラックバックURLとともに新たな記事に関するデータを受信すると、トラックバックURLで特定される親記事のブログ管理装置に更新データを送信する。更新データは、新たな記事をリンクさせる記事（親記事）のトラックバックURLと、新たな記事のタイトル、説明文及び記事URL識別子を送信する。
【００３６】
《記事登録処理１》
図３に示すシーケンス図を用いて、トラックバックセンタ装置１０ａが管理するトピック画面にユーザAが記載した記事をリンクさせる場合の処理の一例を説明する。
【００３７】
ユーザAが新たな記事を記載するとき、第１端末５０は、通信制御装置５２を介して投稿画面データの送信を要求するリクエストを第１ブログ管理装置３０に送信する（S1）。投稿画面データは、図４を用いて後述する投稿画面の表示に用いられるデータである。
【００３８】
通信制御装置３２がリクエストを受信すると、画面データ送信手段３１１は、記憶装置３３から投稿画面データ３３３を読み出し、通信制御装置３２を介して第１端末５０に送信する（S2）。
【００３９】
第１端末５０は、受信した投稿画面データに基づいて、表示装置５６に投稿画面を表示する（S3）。図４に一例を示すように、投稿画面P11は、記事のタイトルを入力するタイトル入力部b11、記事を記載する記事入力部b12、記載した記事をリンクしたい親記事のトラックバックURLを入力するトラックバックURL入力部b13及び入力部b11〜b13に入力した内容で記事の投稿を実行する投稿ボタンb14を有している。表示装置５６に投稿画面P11が表示されると、ユーザによって入力装置５５を介して投稿画面P11の入力部b11〜b13に必要なデータ（タイトル、記事、トラックバックURL）が入力される。
【００４０】
ここで、ユーザAが、記載した記事をトラックバックセンタ装置１０ａで管理されるトピック画面とリンクさせるとき、トピック画面のトラックバックURLを取得する必要がある。トピック画面のトラックバックURLを取得する場合、第１端末５０は、通信制御装置５２を介してトピック画面データの送信を要求するリクエストをトラックバックセンタ装置１０ａに送信する（S4）。
【００４１】
通信制御装置１２がリクエストを受信すると、画面データ送信手段１１１は、記憶装置１３から該当するトピック画面データ１３３を読み出し、通信制御装置１２を介して第１端末５０に送信する（S5）。
【００４２】
第１端末５０は、受信したトピック画面データに基づいて、表示装置５６にトピック画面を表示する（S6）。ユーザAが『トマト』に関するトピック画面データの送信を要求したときに表示されるトピック画面の一例を図５に示す。図５に示すように、トピック画面P21は、トピック画面P21に新規に（他の記事にはリンクさせずに）にリンクさせる際に使用するトラックバックURL b21、トピック画面P21にリストアップされている記事のタイトルb22、トピック画面P21とともにリストアップされている記事にリンクさせる際に使用するトラックバックURLの生成を要求するボタンb23を有している。また、トピック画面P21では、リンクされている記事の説明文b24を含んでいる。図５に示す例では、ユーザAは、トピック画面P21にリンクさせる場合、トラックバックURLとして「http://tbce/rist/tomato」を使用する。また、ユーザAは、トピック画面P21とともにリストアップされている記事『トマト料理』にリンクさせる場合、ボタンb23をクリックし、この記事に関するトラックバックURLを要求する。また、記事のタイトルb22は、記事URLと対応付けられており、ユーザは、トピック画面P21の記事のタイトルb22をクリックすることによって、表示装置にユーザの記事を表示させることができる。
【００４３】
その後、第１端末５０は、入力部b11〜b13に入力されたデータを投稿データとして、第１ブログ管理装置３０に送信する（S7）。図６は、投稿画面P11において、ユーザAが『おいしいとまと』に関する記事を記載し、図５で示したトピック画面P21が含むトラックバックURL「http://tbce/rist/tomato」をトラックバックURL入力部b13に入力した一例である。また、第１端末５０が送信する投稿データは、「タイトル」、「記事」、「トラックバックURL」とともに、ユーザAの識別子を含んでいる。
【００４４】
通信制御装置３２が投稿データを受信すると、データ更新手段３１２は、投稿データが含む「記事」を識別する記事URL及び記事に新たな他の記事をリンクさせるために使用するトラックバックURLを付与するとともに、ユーザAの識別子に「タイトル」、「記事URL」、「記事」、「説明文」、「トラックバックURL」を関連付けたデータで記憶装置３３のユーザデータ３３２を更新する（S8）。
【００４５】
データ更新手段３１２によってユーザデータ３３２が更新されると、更新データ送信手段３１３は、通信制御装置３３を介して更新データを、トラックバックURLによって特定されるトラックバックセンタ装置１０ａに送信する（S9）。ここで送信される更新データは、新たな記事が追加されてユーザデータ３３２が更新されたことをトラックバックセンタ装置１０ａに通知するとともに、トピック画面に新たな記事をリンクさせるデータである。具体的には、更新データは、ユーザデータ３３２に追加された記事の「登録日」、「タイトル」、「説明文」、「記事URL」、トピック画面にリンクさせる際の「トラックバックURL」及び「ユーザの識別子（ユーザ名）」を含んでいる。
【００４６】
通信制御装置１２が更新データを受信すると、データ更新手段１１２は、更新データを利用してトラックバックデータ１３２を更新する（S10）。図２で示したトラックバックデータ１３２を更新した一例を図７に示す。図７に示す例では、データ更新手段１１２は、記事に対して識別子（記事ID）を付与し、この「記事ID」をキーとして、受信した更新データに含まれる記事の「登録日」、「タイトル」、「説明文」、「記事URL」、「ユーザ名」とともに、受信した「トラックバックURL」に含まれる「トピック番号」を関連付けたレコードを追加してトラックバックデータ１３２を更新したことが分かる。
【００４７】
その後、画面データ生成手段１１３は、更新されたトラックバックデータ１３２に基づいて、記憶装置１３に記憶されているトピック画面データ１３３を更新する（S11）。図８は、図６に示した投稿画面P11基づいて更新されたトピック画面データ１３３によって表示されたトピック画面P22の一例である。上述した処理によって、図８に示すように、トピック画面P22には、『トマト料理』の記事とともにユーザAが記載した『おいしいとまと』の記事がリンクされた。また、図８に示すように、トピック画面P22では、各記事のタイトルb22にトラックバックデータ１３２に含まれる各説明文b24を関連付けて表示する。
【００４８】
このように、本発明の第１の実施形態に係るトラックバックセンタ装置１０ａを備えるブログシステム１ａでは、各ユーザは、トラックバックセンタ装置１０ａで管理するトピック画面に自己の記事をリンクさせることができる。
【００４９】
《記事登録処理２》
続いて、図９に示すシーケンス図を用いて、ユーザAの記事を読んだユーザBが記載した記事を、トラックバックセンタ装置１０ａが管理するトピック画面にリンクさせるとともにブログ管理装置３０が管理するユーザAの記事にリンクさせる場合の処理の一例を説明する。ここでは、図3を用いて上述した処理によってユーザAの記事がトピック画面にリンクされた状態で、ユーザBがトピック画面からユーザAの記事にアクセスし、記事を記載した場合を例として説明する。
【００５０】
ユーザBの操作によって入力装置６５を介してトピック画面の表示が要求されると、第２端末６０は、通信制御装置６２を介してトピック画面データの送信を要求するリクエストをトラックバックセンタ装置１０ａに送信する（S21）。
【００５１】
通信制御装置１２がリクエストを受信すると、画面データ送信手段１１１は、記憶装置１３からトピック画面データ１３３を読み出し、通信制御装置１２を介して第２端末６０に送信する（S22）。
【００５２】
第２端末６０は、受信したトピック画面データに基づいて、表示装置６６にトピック画面を表示する（S23）。ここでは、図８を用いて上述したトピック画面P22が表示されたものとして以下に説明する。トピック画面P22は、リンクされている記事のタイトルb22を含んでいる。ユーザによって入力装置６５を介して選択されたタイトルb22がクリックされると、選択されたタイトルb22の記事のブログ画面が表示装置６６に表示される。
【００５３】
表示装置６６に表示されるトピック画面P22が含む記事のタイトルから、ユーザBによって入力装置６５を介してユーザAが記載した記事『おいしいとまと』のタイトルb22がクリックされることによって、記事『おいしいとまと』の表示が要求されると、第２端末６０は、第１ブログ管理装置３０にブログ画面データの送信を要求するリクエストを送信する（S24）。
【００５４】
通信制御装置３２がリクエストを受信すると、画面データ送信手段１１１は、記憶装置３３から、該当するユーザデータ３３２を読み出し、ブログ画面データとして第２端末６０に送信する（S25）。
【００５５】
第２端末６０は、受信したブログ画面データに基づいて、表示装置６６にブログ画面を表示する（S26）。図１０に示すブログ画面P31の一例は、タイトル及び記事とともに、この記事に新たな記事をリンクする場合に使用するトラックバックURLを有している。図１０に示すブログ画面P31は、図６で示した投稿画面P12で投稿された記事を表示する一例である。
【００５６】
ユーザAの記載した記事を参照したユーザBが新たに記事を記載するとき、ユーザBからの操作にしたがって、第２端末６０は、投稿画面データの送信を要求するリクエストを第２ブログ管理装置４０に送信する（S27）。
【００５７】
通信制御装置４２がリクエストを受信すると、画面データ送信手段４１１は、記憶装置４３から投稿画面データ４３３を読み出し、通信制御装置４２を介して第２端末６０に送信する（S28）。
【００５８】
第２端末６０は、受信した投稿画面データに基づいて、表示装置６６に投稿画面を表示する（S29）。投稿画面は、図４を用いて上述した投稿画面P11と同一である。また、第２端末６０は、ユーザBからの操作にしたがって、記載する記事をトピック画面とユーザAの記載した記事とにリンクさせるURL生成画面データの送信を要求するリクエストをトラックバックセンタ装置１０ａに送信する（S30）。図８に示すトピック画面P22の例では、ユーザAの記載した記事のタイトル『おいしいとまと』に関連付けられるボタンb23がクリックされたとき、ユーザAの記載した記事とリンクするURL生成画面データの送信を要求する。
【００５９】
通信制御装置１２がリクエストを受信すると、画面データ送信手段１１１は、記憶装置１３からURL生成画面データ１３４を読み出し、通信制御装置１２を介して第２端末６０に送信する（S31）。
【００６０】
第２端末６０は、受信したURL生成画面データに基づいて、表示装置６６にトラックバックURL生成画面を表示する（S32）。図１１に一例を示すように、トラックバックURL生成画面P4は、トピック番号入力部b41、親記事ID入力部b42、トラックバックURL入力部b43、関係選択部b44、サムネール入力部b45及び実行ボタンb46を有している。トピック番号入力部b41には、予めトピック画面P22で対象とするトピックに付与された番号が入力され、親記事ID入力部b42には、予め親記事に付与された識別子が入力されている。その後、トラックバックURL入力部b43には親記事にリンクするためのトラックバックURL（以下、「親記事URL」とする）が入力され、関係選択部b44では親記事との関係が選択され、サムネール入力部b45には記事に関連付けるサムネール画像がある場合、サムネール画像の識別子が入力されて実行ボタンb46がクリックされる。トラックバックセンタ装置１０が親記事URLを予め取得する手段を有しているとき、トラックバックURL入力部b43に入力される親記事URLも予め入力された状態でトラックバックURL生成画面P41が表示されてもよい。
【００６１】
ユーザの操作にしたがって、第２端末６０は、入力部ｂ41〜ｂ45に入力又は選択されたデータをトラックバックセンタ装置１０ａに送信する（S33）。すなわち、第２端末６０は、各入力部b41〜b45に必要なデータ（トピック番号、親記事ID、親記事URL、関係及びサムネールの識別子）が入力された状態でURLの生成を実行する実行ボタンb46がクリックされると、データをトラックバックセンタ装置１０ａに送信する。
【００６２】
通信制御装置１２がデータを受信すると、トラックバックURL生成手段１１４は、受信したデータに基づいて、トピック画面及び親記事と関連付けたユーザBの記事のトラックバックURLを生成する（S34）。トラックバックURL生成手段１１４が生成したトラックバックURLは、受信したトピック番号、親記事ID、親記事URL及び関係を含んでいる。また、受信したデータがサムネールの識別子を含んでいる場合、サムネールの識別子も有している。その後、トラックバックURL生成手段１１４は、生成したトラックバックURLを通信制御装置１２を介して第２端末６０に送信する（S35）。
【００６３】
第２端末６０は、受信したトラックバックURLを含むURL表示画面を表示装置６６に表示する（S36）。URL表示画面P5の一例を図１２に示す。
【００６４】
その後、ユーザによってステップS36で表示されたトラックバックURLが投稿画面P11のトラックバックURL入力部b13に入力されて投稿ボタンb14がクリックされると（S37）、第２端末６０は、タイトル、記事、トラックバックURLとともにユーザの識別子を含む投稿データをブログ管理装置４０に送信する（S38）。タイトル、記事及びトラックバックURLを入力した投稿画面P11の一例を図１３に示す。
【００６５】
通信制御装置４２が投稿データを受信すると、データ更新手段４１２は、入力した記事データをユーザBの新たな記事として挿入してユーザデータ４３２を更新する（S39）。その後、更新データ送信手段４１３は、通信制御装置４２を介してトラックバックセンタ装置１０ａに更新データを送信する（S40）。ここで送信される更新データは、新たな記事が追加されてユーザデータ４３２が更新されたことをトラックバックセンタ装置１０ａに通知するとともに、トピック画面及びユーザAのブログ画面にユーザBの記事をリンクさせるデータである。具体的には、更新データは、ユーザデータ４３２に追加された記事の「登録日」、「タイトル」、「説明文」、「記事URL」、トピック画面にリンクさせる際の「トラックバックURL」（ステップS35で受信したトラックバックURL）及び「ユーザの識別子（ユーザ名）」を含んでいる。
【００６６】
通信制御装置１２が更新データを受信すると、データ更新手段１１２は、受信した更新データでトラックバックデータ１３２を更新する（S41）。図７で示したトラックバックデータ１３２を更新した一例を図１３に示す。図１３に示す例では、データ更新手段１１２は、記事に対して識別子（記事ID）を付与し、この「記事ID」をキーとして、受信した更新データに含まれる記事の「登録日」、「タイトル」、「説明文」、「記事URL」、「ユーザ名」とともに、受信した「トラックバックURL」に含まれる「トピック番号」、「親記事ID」、「関係」及び「親記事URL」を関連付けたレコードを追加してトラックバックデータ１３２を更新する。
【００６７】
その後、画面データ生成手段１１３は、更新されたトラックバックデータでトピック画面データを生成する（S42）。図１４は、図１３に示した投稿画面P11に基づいて更新されたトピック画面更新されたトピック画面P23 の一例である。上述した処理によって、図１５に示すように、トピック画面P23には、『おいしいとまと』の記事に対する賛成意見の記事として『青いトマト』に関する記事がリンクされていることがわかる。また、図１３に示すように、トピック画面P23では、各記事のタイトルb22にトラックバックデータ１３２に含まれる説明文b24を関連付けている。
【００６８】
その後、更新データ送信手段１１５は、メモリ１４で記憶されている親記事URLで特定される第１ブログ管理装置３０に更新データを送信する（S43）。ここで送信される更新データは、第１ブログ管理装置３０にリンクを要求するデータである。具体的には、更新データは、ユーザAの記事の「トラックバックURL」とユーザBの記事の「記事URL」、「タイトル」及び「説明文」とを含んでいる。
【００６９】
通信制御装置３２が更新データを受信すると、データ更新手段３１２は、受信した更新データに基づいて、ユーザデータ３３２を更新する（S44）。ここでは、ユーザAの記事の「記事ID」にユーザBの記事の「記事URL」、「タイトル」及び「説明文」を関連付けてユーザデータ３３２を更新する。図１６に、更新されたユーザデータ３３２によって表示されるブログ画面P32の一例を示す。図１６に示すように、親記事であるユーザAの記事では、ユーザBの記事がリンクされて、ユーザB記事の記事の説明文ｂ24を含んでいる。
【００７０】
なお、上述した説明では、トラックバックURL生成画面P41のトラックバックURL入力部b43に親記事URLを入力した例で説明しているが、この親記事URLの入力は必須ではない。親記事URLを入力せずに新たな記事のトラックバックURLを生成した場合、トピック画面においては新たな記事は親記事にリンクされることになるが、親記事のブログ画面では、新たな記事はリンクされないことになる。
【００７１】
このように、第１の実施形態に係るブログシステムでは、トピック画面にリンクする際にトピック画面にリンクされている親記事にもリンクさせることができる。また、トピック画面では、新たに記載した記事の親記事との関係も表示することができる。
【００７２】
［第２の実施形態］
図１７に示すように、第２の実施形態に係るブログシステム１ｂは、トラックバックセンタ装置１０ｂ、第１ブログ管理装置３０、第２ブログ管理装置４０、第１端末５０、第２端末６０がネットワーク７０を介して接続されている。第２の実施形態に係るブログシステム１ｂでは、トラックバックセンタ装置１０ｂに登録されているユーザは、トラックバックセンタ装置１０ｂにアクセスして投稿画面を表示させることができる。
【００７３】
ブログシステム１ｂのトラックバックセンタ装置１０ｂは、図１を用いて上述したトラックバックセンタ装置１０ａと比較して、ユーザ認証手段１１６及び投稿データ送信手段１１７を有するとともに、記憶装置１３に会員データ１３５及び投稿画面データ１３５を記憶している点で異なる。
【００７４】
会員データ１３５は、トラックバックセンタ装置１ｂに会員登録されているユーザのユーザ認証で使用するデータである。また、投稿画面データ１３５は、ユーザが記事を記載する際に使用する投稿画面をユーザの端末５０，６０の表示装置５６，６６に表示させるデータである。
【００７５】
ユーザ認証手段１１６は、ユーザの端末５０，６０からアクセスがあると、会員データ１３５を用いてユーザが登録されているか否かのユーザ認証を実行する。具体的には、シングルサインオン（Single Sign-On）技術を利用してブログ管理装置３０，４０にアクセスし、ユーザが登録されているかを判定する。投稿データ送信手段１１７は、端末５０，６０から投稿データを受信すると、ブログ管理装置３０，４０に送信する。
【００７６】
《記事登録処理３》
図１８に示すシーケンス図を用いて、トラックバックセンタ装置１０ｂが管理するトピック画面にユーザAが記載した記事をリンクさせる場合の処理の一例を説明する。
【００７７】
ユーザAがトピック画面にリンクさせる新たな記事を記載するとき、第１端末５０は、トピック画面データの送信を要求するリクエストをトラックバックセンタ装置１０ｂに送信する（Ｓ51）。
【００７８】
通信制御装置１２がリクエストを受信すると、ユーザ認証手段１１６は、ユーザ認証を実行する（S52）。ユーザ認証手段１１６によってユーザAがトラックバックセンタ装置１０ｂに登録されていると判定されると、画面データ送信手段１１１は、記憶装置３３からトピック画面データを読み出し、通信制御装置１２を介して第１端末５０に送信する（Ｓ53）。
【００７９】
第１端末５０は、受信したトピック画面データに基づいて、表示装置５６にトピック画面を表示する（S54）。図１９にトピック画面P24の一例を示す。トピック画面P24では、トピック画面P24にリンクさせる記事を記載する投稿画面の送信を要求する投稿ボタンb25、トピック画面P24にリンクされている記事のタイトルb22、リンクされている記事の説明文b24及びトピック画面P24にリンクさせるとともにトピック画面P24にリンクされている記事にリンクされている記事にリンクさせる記事を記載する投稿画面の送信を要求する投稿ボタンb26を有している。
【００８０】
トピック画面P24にリンクされている記事の各ボタンb25,b26には、各記事に付与された記事IDと関連付けられている。また、トピック画面P24リンクされている各記事は、選択されるとユーザが記載する記事に対して親記事となる。以下では、新規投稿を実行する投稿ボタンb25がクリックされた場合の一例で説明する。
【００８１】
第１端末５０は、入力装置５５を介して操作が入力されると（投稿ボタンb25がクリックされると）、通信制御装置５２を介して投稿画面データの送信を要求するリクエストをトラックバックセンタ装置１０ｂに送信する（S55）。
【００８２】
通信制御装置１２がリクエストを受信すると、画面データ送信手段１１１は、記憶装置１３に予め記憶されている投稿画面データ１３５を読み出し、通信制御装置１２を介して第１端末５０に送信する（S56）。
【００８３】
第１端末５０は、受信した投稿データに基づいて、表示装置５６に投稿画面を表示する（S57）。ここで表示する投稿画面は、図４を用いて上述した投稿画面P11と同一であるが、トラックバックURL入力部b13には、既にトピック画面P24のトラックバックURLが入力されており、ユーザAによる入力装置１５を介した操作では、入力部b11,b12に必要なデータ（タイトル、記事）が入力される。または、ステップS57で表示される投稿画面は、トラックバックURL入力部を有していなくてもよい。
【００８４】
その後、第１端末５０は、トラックバックセンタ装置１０ｂに投稿データを送信する（S58）。ここで送信される投稿データは、「タイトル」、「記事」及びユーザの識別子（ユーザ名）を含んでいる。
【００８５】
通信制御装置１２が投稿データを受信すると、投稿データ送信手段１１７は、投稿データに含まれる「タイトル」、「記事」、「ユーザ名」をメモリ１４に記憶させるとともに、投稿データをユーザ名で特定される第１ブログ管理装置３０に送信する（S59）。ここで送信される投稿データは、投稿データに含まれる「タイトル」、「記事」及び「ユーザ名」、ステップS55でクリックされたボタンによって特定される「トピック番号」及び親記事を特定する「記事ID」を含んでいる。
【００８６】
通信制御装置３２が投稿データを受信すると、データ更新手段３１２は、受信した投稿データが含む記事に記事URLを付与するともに、投稿データに基づいて、記憶装置３３のユーザデータ３３２を更新する（S60）。その後、関係データ送信手段３１３は、通信制御装置３２を介して記事に付与した記事URLをトラックバックセンタ装置１０ｂに送信する（S61）。
【００８７】
通信制御装置１２が記事URLを受信すると、データ更新手段３１２は、メモリ１４に記憶されている投稿データとともに受信した記事URLで生成したレコードを追加して記憶装置１３のトラックバックデータ１３２を更新する（S62）。ここで更新されるトラックバックデータ１３２は、図７で上述したトラックバックデータ１３２である。
【００８８】
その後、画面データ生成手段１１３は、更新されたトラックバックデータ１３２に基づいて、記憶装置１３に記憶されているトピック画面データ１３３を更新する（S63）。
【００８９】
図２０に更新されたトピック画面データ１３３によって表示されるトピック画面P24の一例を示す。トピック画面P25は、図１９で上述したトピック画面P24と比較して、『おいしいとまと』の記事のタイトルb22、説明文b24及び投稿ボタンb26が追加されている。
【００９０】
《記事登録処理４》
続いて、図２１に示すシーケンス図を用いて、ユーザAの記事を読んだユーザBが記載した記事を、トラックバックセンタ装置１０ｂが管理するトピック画面にリンクさせるとともにブログ管理装置３０が管理するユーザAの記事にリンクさせる場合の処理の一例を説明する。ここでは、図18を用いて上述した処理によってユーザAの記事がトピック画面にリンクされた状態で、ユーザBがトピック画面からユーザAの記事にアクセスし、記事を記載した場合を例として説明する。
【００９１】
第２端末６０は、ユーザBによって入力装置６５を介した操作に応じて、トピック画面データの送信を要求するリクエストをトラックバックセンタ装置１０ｂに送信する（S71）。
【００９２】
通信制御装置１２がリクエストを受信すると、ユーザ認証手段１１６は、認証処理を実行する（S72）。その後、画面データ送信手段１１１は、記憶装置１３からトピック画面データ１３３を読み出し、通信制御装置１２を介して第２端末６０に送信する（S73）。
【００９３】
第２端末６０は、受信したトピック画面データに基づいて、表示装置６６にトピック画面を表示する（S74）。ここで表示されるトピック画面は、図２０を用いて上述したトピック画面P25である。
【００９４】
表示装置６６に表示されるトピック画面P25が含む記事のタイトルb26から、ユーザBによって入力装置６５を介してユーザAが記載した記事『おいしいとまと』の表示が要求されると、第２端末６０は、第１ブログ管理装置３０にブログ画面データの送信を要求するリクエストを送信する（S75）。
【００９５】
通信制御装置３２がリクエストを受信すると、画面データ送信手段１１１は、記憶装置３３から、該当するユーザデータ３３２を読み出し、ブログ画面データとして第２端末６０に送信する（S76）。
【００９６】
第２端末６０は、受信したブログ画面データに基づいて、表示装置６６にブログ画面を表示する（S77）。ここで表示されるブログ画面は、図10を用いて上述したブログ画面P31である。またこのとき、ユーザBの第２端末６０の表示装置６６には、ブログ画面P31とともに、ステップS74で表示されたトピック画面も表示されている状態である。
【００９７】
ユーザAの記載した記事を参照して、新たに記事を記載しようとするとき、ユーザBは、トピック画面P25の『おいしいとまと』に関連付けられる投稿ボタンb27をクリックする。
【００９８】
第２端末６０は、投稿ボタンb27がクリックされると、投稿画面データの送信を要求するリクエストをトラックバックセンタ装置１０ｂに送信する（S81）。
【００９９】
通信制御装置１２がリクエストを受信すると、画面データ送信手段１１１は、記憶装置１３で記憶される投稿画面データ１３５に、トラックバックデータ１３２に含まれる該当記事の「記事ID」を追加した投稿画面データを生成し（S82）、第２端末６０に送信する（S83）。
【０１００】
第２端末６０は、受信した投稿画面データに基づいて、表示装置６６に投稿画面を表示する（S84）。図２２に投稿画面P12の一例を示す。投稿画面P12は、タイトル入力部b11、記事を入力する記事入力部b12、トピック番号入力部b41、親記事ID入力部b42、トラックバックURL入力部b43、関係選択部b44、サムネール入力部b45及び投稿ボタンb14を有している。
【０１０１】
タイトル入力部b11にはユーザによってタイトルが入力され、記事入力部b12にはユーザによって記事が入力される。トピック番号入力部b41にはトピック画面によって特定されるトピック番号が予め入力されており、親記事ID入力部b42には選択された親記事によって特定される親記事IDが予め特定されている。トラックバックURL入力部b43にはユーザによって又は予め親記事URLが入力される。関係選択部b44は、ユーザによって新たな記事の親記事との関係が選択される。サムネール入力部b45には、サムネールがある場合、ユーザによってサムネールの識別子が入力される。
【０１０２】
第２端末６０は、投稿画面の各入力部b11〜b45に必要なデータが入力されて投稿ボタンb14がクリックされると、入力されたデータ（タイトル、記事、トピック番号、親記事ID、トラックバックURL、関係、サムネール）とともに、ユーザの識別子（ユーザ名）と登録日を投稿データとしてトラックバックセンタ装置１０ｂに送信する（S85）。
【０１０３】
通信制御装置１２が投稿データを受信すると、受信した投稿データはメモリ１４に記憶され、投稿データ送信手段１１７は、投稿データを第２ブログ管理装置４０に送信する（S86）。
【０１０４】
通信制御装置３２が記事データを受信すると、データ更新手段３１２は、記事に記事URLを付与して記憶装置３３に記憶されているユーザデータ３３２を更新する（S87）。その後、更新データ送信手段３１３は、記事に付与した記事URLをトラックバックセンタ装置１０ｂに送信する（S88）。
【０１０５】
通信制御装置１２が記事URLを受信すると、データ更新手段１１２は、メモリ１４に記憶されている投稿データとともに受信した記事URLによってトラックバックデータ１３２を更新する（S89）。
【０１０６】
その後、画面データ生成手段１１３は、更新されたトラックバックデータ１３２に基づいてトピック画面データ１３３を更新する（S90）。画面データ生成手段１１３は、トピック画面データ１３３を生成する際、記事と親記事については、その関係が分かるようにして生成する。
【０１０７】
また、更新データ送信手段１１５は、通信制御装置１２を介して、更新データを第１ブログ管理装置３０に送信する（S91）。ここで送信される更新データには、ユーザAの記事の「トラックバックURL」とユーザBの記事の「記事URL」、「タイトル」及び「説明文」とを含んでいる。
【０１０８】
通信制御装置３２が更新データを受信すると、データ更新手段３１２は、受信した更新データに基づいて、ユーザデータ３３２を更新する（S92）。ここでは、ユーザAの記事の「記事ID」にユーザBの記事の「記事URL」、「タイトル」及び「説明文」を関連付けてユーザデータ３３２を更新する。
【０１０９】
このように、第２の実施形態に係るブログシステムでは、トピック画面にリンクする際にトピック画面にリンクされている親記事にもリンクさせることができる。その際、トピック画面から容易に投稿画面を表示させることができるとともに、トピック画面では、新たに記載した記事と親記事との関係も表示することができる。
【図面の簡単な説明】
【０１１０】
【図１】本発明の第１の実施形態に係るトラックバックセンタ装置を備えるブログシステムの構成を説明する図である。
【図２】図１に示すトラックバックセンタ装置が有するトラックバックデータの一例である。
【図３】図１に示すブログシステムにおける処理の一例を説明するシーケンス図である。
【図４】図１に示す端末で表示される投稿画面の一例である。
【図５】図１に示す端末で表示されるトピック画面の一例である。
【図６】図１に示す端末で表示される投稿画面にデータが入力された一例である。
【図７】図１に示すトラックバックセンタ装置が有するトラックバックデータが更新された一例である。
【図８】図１に示す端末で表示されるトピック画面の他の例である。
【図９】図１に示すブログシステムにおける処理の他の例を説明するシーケンス図である。
【図１０】図１に示す端末で表示されるブログ画面の一例である。
【図１１】図１に示す端末で表示されるトラックバックURL生成画面の一例である。
【図１２】図１に示す端末で表示されるURL表示画面の一例である。
【図１３】図１に示す端末で表示される投稿画面にデータが入力された他の例である。
【図１４】図１に示すトラックバックセンタ装置が有するトラックバックデータが更新された他の例である。
【図１５】図１に示す端末で表示されるトピック画面の他の例である。
【図１６】図１に示す端末で表示されるブログ画面の他の例である。
【図１７】本発明の第２の実施形態に係るトラックバックセンタ装置を備えるブログシステムの構成を説明する図である。
【図１８】図１７に示すブログシステムにおける処理の一例を説明するシーケンス図である。
【図１９】図１７に示す端末で表示されるトピック画面の一例である。
【図２０】図１７に示す端末で表示されるトピック画面の一例である。
【図２１】図１７に示すブログシステムにおける処理の他の例を説明するシーケンス図である。
【図２２】図１７に示す端末で表示される投稿画面の一例である。
【符号の説明】
【０１１１】
１ａ，１ｂ…ブログシステム
１０ａ，１０ｂ…トラックバックセンタ装置
１１…CPU
１１１…画面データ送信手段
１１２…データ更新手段
１１３…画面データ生成手段
１１４…トラックバックＵＲＬ生成手段
１１５…更新データ送信手段
１１６…ユーザ認証手段
１１７…投稿データ送信手段
１２…通信制御装置
１３…記憶装置
１３１…センタプログラム
１３２…トラックバックデータ
１３３…トピック画面データ
１３４…URL生成画面データ
１３５…投稿画面データ
１４…メモリ
１５…入力装置
３０，４０…ブログ管理装置
５０，６０…端末
７０…ネットワーク
【図１】
2008107998.tif 000003
【図２】
2008107998.tif 000004
【図３】
2008107998.tif 000005
【図４】
2008107998.tif 000006
【図５】
2008107998.tif 000007
【図６】
2008107998.tif 000008
【図７】
2008107998.tif 000009
【図８】
2008107998.tif 000010
【図９】
2008107998.tif 000011
【図１０】
2008107998.tif 000012
【図１１】
2008107998.tif 000013
【図１２】
2008107998.tif 000014
【図１３】
2008107998.tif 000015
【図１４】
2008107998.tif 000016
【図１５】
2008107998.tif 000017
【図１６】
2008107998.tif 000018
【図１７】
2008107998.tif 000019
【図１８】
2008107998.tif 000020
【図１９】
2008107998.tif 000021
【図２０】
2008107998.tif 000022
【図２１】
2008107998.tif 000023
【図２２】
2008107998.tif 000024